(57)【要約】【課題】ケーブルの交換が容易で、ドローイングでの射手の負担が小さい弓を提供する。【解決手段】弓１は、ボウ本体１０と、ボウ本体１０の一端に回動可能に設けられ、ストリング５０の一端が固定された第１ストリング用カムと、第１ストリング用カムと連動して回動し、ケーブル３０の一端側が巻き付けられた第１径小カムと、第１ストリング用カムと連動して回動し、ケーブル４０の一端側が巻き付けられた第１径大カムと、ボウ本体１０の他端に回動可能に設けられ、ストリング５０の他端が固定された第２ストリング用カムと、第２ストリング用カムと連動して回動し、ケーブル４０の他端側が巻き付けられた第２径小カムと、第２ストリング用カムと連動して回動し、ケーブル３０の他端側が巻き付けられた第２径大カムと、を備える。【選択図】図１
2020070934.tif 000002
【特許請求の範囲】
【請求項１】
ボウ本体と、
前記ボウ本体の一端に回動可能に設けられ、ストリングの一端が固定された第１ストリング用カムと、
前記第１ストリング用カムと連動して回動し、第１ケーブルの一端側が巻き付けられた第１径小カムと、
前記第１ストリング用カムと連動して回動し、第２ケーブルの一端側が巻き付けられた第１径大カムと、
前記ボウ本体の他端に回動可能に設けられ、前記ストリングの他端が固定された第２ストリング用カムと、
前記第２ストリング用カムと連動して回動し、前記第２ケーブルの他端側が巻き付けられた第２径小カムと、
前記第２ストリング用カムと連動して回動し、前記第１ケーブルの他端側が巻き付けられた第２径大カムと、
を備える弓。
【請求項２】
前記第１径小カム、前記第１径大カム、前記第２径小カム、及び前記第２径大カムは、径小部と径大部とが周方向に連続する円筒の形状に形成されている、
請求項１に記載の弓。
【請求項３】
連結ピンを有するグリップをさらに備え、
前記ボウ本体は、前記連結ピンを回転可能に保持するベアリングが挿通され、前記ボウ本体の重心を貫通する長孔を有する、
請求項１又は２に記載の弓。
【請求項４】
前記連結ピンは、前記ストリングに矢がノッキングされたときの、前記矢の中心軸上に配置されている、
請求項３に記載の弓。
【発明の詳細な説明】
【技術分野】
【０００１】
本発明は弓に関する。
【背景技術】
【０００２】
弓には、リムの先端にカムが設けられたコンパウンドボウと呼ばれる弓がある。このコンパウンドボウでは、ストリングを引くことにより、カムを回転させ、そのカムの回転力でリムをたわませる。そして、リムの弾性力を利用して矢を発射させる。コンパウンドボウでは、カムを用いることによりリムをたわませるのに必要な力を小さくして、射手の負担を小さくしている。
【０００３】
しかしながら、コンパウンドボウでは、リムをたわませる必要があるため、射手の負担が必ずしも小さくない。そこで、さらに射手の負担を小さくするため、リムの替わりにケーブルを弾性変形させてその弾性力で矢を飛ばす弓が開発されている。
【０００４】
例えば、特許文献１には、ボウ本体の一端と他端のそれぞれに、径小滑車と、その径小滑車と連結した径大滑車と、が設けられた弓が開示されている。特許文献１に記載の弓では、ケーブルは、一端側の径小滑車に固定された後、一端側の径小滑車から他端側の径大滑車へ、また他端側の径大滑車から一端側の径大滑車へ、さらに一端側の径大滑車から他端側の径小滑車に掛け回されている。そして、ケーブルの他端は、他端側の径小滑車に固定されている。
【０００５】
特許文献１に記載の弓では、ケーブルの、一端側の径大滑車と他端側の径大滑車の間に張られた部分が矢をつがえる箇所、すなわち、ノッキングポイントとされ、この部分を射手が引くことによって、一端側と他端側の径大滑車が回動する。これにより、これらの径大滑車に連結された一端側と他端側の径小滑車が回動する。このとき、径大滑車と径小滑車の径が異なるため、ケーブルの、一端側の径小滑車と他端側の径大滑車の間に張られた部分と一端側の径大滑車と他端側の径小滑車の間に張られた部分が引っ張られて弾性変形する。その結果、ケーブルの弾性変形による弾性力で矢が発射される。
【先行技術文献】
【特許文献】
【０００６】
【特許文献１】特開昭５５−３３５０７号公報
【発明の概要】
【発明が解決しようとする課題】
【０００７】
特許文献１に記載の弓では、一端側の径小滑車と径大滑車が、他端側の径小滑車と径大滑車と滑車の軸方向にこの順序で並んでいる。このため、ケーブルが、一端側の径小滑車と他端側の径大滑車との間の部分と、一端側の径大滑車と他端側の径小滑車との間の部分と、で交差している。その結果、ケーブルが劣化したときの、ケーブル交換が容易でない。
【０００８】
また、特許文献１に記載の弓では、径小滑車と径大滑車が共に円柱状であるか、又は径小滑車が円盤カム状かつ径大滑車が柱断面円柱状である。このため、特許文献１に記載の弓は、射手がケーブルを引く（以下、ドローイングともいう）距離が大きくなるに従って射手がケーブルを引く荷重が大きくなる。その結果、射手は、ケーブルを最も引いたフルドローから矢を離すリリースまでの間で、ケーブルを最大荷重で引き続ける必要がある。このため、特許文献１に記載の弓では、射手の負担が大きい。
【０００９】
本発明は、上記の課題を解決するためになされたもので、ケーブルの交換が容易で、ドローイングでの射手の負担が小さい弓を提供することを目的とする。
【課題を解決するための手段】
【００１０】
本発明に係る弓は、
ボウ本体と、
前記ボウ本体の一端に回動可能に設けられ、ストリングの一端が固定された第１ストリング用カムと、
前記第１ストリング用カムと連動して回動し、第１ケーブルの一端側が巻き付けられた第１径小カムと、
前記第１ストリング用カムと連動して回動し、第２ケーブルの一端側が巻き付けられた第１径大カムと、
前記ボウ本体の他端に回動可能に設けられ、前記ストリングの他端が固定された第２ストリング用カムと、
前記第２ストリング用カムと連動して回動し、前記第２ケーブルの他端側が巻き付けられた第２径小カムと、
前記第２ストリング用カムと連動して回動し、前記第１ケーブルの他端側が巻き付けられた第２径大カムと、
を備えることを特徴とする。
【００１１】
前記第１径小カム、前記第１径大カム、前記第２径小カム、及び前記第２径大カムは、径小部と径大部とが周方向に連続する円筒の形状に形成されていてもよい。
【００１２】
連結ピンを有するグリップをさらに備え、
前記ボウ本体は、前記連結ピンを回転可能に保持するベアリングが挿通され、前記ボウ本体の重心を貫通する長孔を有してもよい。
【００１３】
前記連結ピンは、前記ストリングに矢がノッキングされたときの、前記矢の中心軸上に配置されていてもよい。
【発明の効果】
【００１４】
本発明の構成によれば、第１径小カム及び第２径大カムが、第１ストリング用カム及び第２ストリング用カムに連動して回動することにより、第１ケーブルを弾性変形させる。このため、ストリングを引いて第１ストリング用カム及び第２ストリング用カムを回動させることにより、ストリングを引く力を、第１ケーブルを弾性変形させる、より大きな力に変換できる。その結果、射手の負担が小さい。
【００１５】
また、第２径小カム及び第１径大カムが、第２ストリング用カム及び第１ストリング用カムに連動して回動することにより、第２ケーブルを弾性変形させるので、上記の第１径小カム及び第２径大カムの場合と同様に、ストリングを引く力を、第２ケーブルを弾性変形させる、より大きな力に変換できる。また、ストリングを引く力を、第１ケーブルを弾性変形させる力のみならず、第２ケーブルを弾性変形させる力にも変換するため、力の変換効率が高い。その結果、射手の負担がより小さい。
【００１６】
また、第１径小カムと第２径大カムに巻き付けられた第１ケーブルと第１径大カムと第２径小カムに巻き付けられた第２ケーブルが１つのケーブルでなく、さらに、ストリングと一体でない。このため、交換が容易である。
【図面の簡単な説明】
【００１７】
【図１】本発明の実施の形態に係る弓の側面図
【図２】本発明の実施の形態に係る弓の中央の拡大側面図
【図３】本発明の実施の形態に係る弓が備えるリールの斜視図
【図４】（Ａ）本発明の実施の形態に係る弓が備えるリールの正面図、（Ｂ）リールに備えられるストリング用カムの側面図、（Ｃ）（Ａ）に示すＩＶＣ−ＩＶＣ切断線の断面図、（Ｄ）（Ａ）に示すＩＶＤ−ＩＶＤ切断線の断面図
【図５】（Ａ）本発明の実施の形態に係る弓に使用されるホビンの断面図、（Ｂ）本発明の実施の形態に係る弓の第１ケーブル、第２ケーブル及びストリングが架設されたリールの概念図、（Ｃ）（Ｂ）に示すＶＣ−ＶＣ切断線の断面図、（Ｄ）（Ｂ）に示すＶＤ−ＶＤ切断線の断面図
【図６】本発明の実施の形態に係る弓のドローレングスとドローウエイトとの関係を示す図
【図７】本発明の実施の形態に係る弓がフルドローされたときの、弓の連結プレートの拡大側面図
【発明を実施するための形態】
【００１８】
以下、本発明の実施の形態に係る弓について図面を参照して詳細に説明する。なお、図中、同一又は同等の部分には同一の符号を付す。
【００１９】
本実施の形態に係る弓は、ボウ本体の長手方向の両端それぞれに、ストリングとケーブルが接続されたリールを備える。この弓では、ストリングでリールを回動させて、その回動でケーブルを弾性変形させて、ケーブルの弾性力で矢を発射する。
まず、図１及び図２を参照して、弓の構成について説明する。次に、図３−図５を参照して、弓が備えるリール、ケーブル等の各構成について説明する。続いて、図１、図２、図５及び図６を参照して、弓の使用方法とその動作について説明する。
なお、本実施の形態に係る弓は、ストリングを上下方向に向けて矢を発射させる弓である。このため、以下の説明では、上下とは、矢を発射する状態での上下をいうものとする。また、前後とは、矢の発射方向を前としたときの前後をいうものとする。左右とは、発射方向を前としたときの左右をいうものとする。
【００２０】
図１は、本発明の実施の形態に係る弓１の側面図である。図２は、弓１の中央の拡大側面図である。なお、図２では、理解を容易にするため、ボウ本体１０を太線で表示している。さらに、連結プレート６０を点線で表示している。また、図２では、位置関係の理解を容易にするため、連結プレート６０を縮小して、連結プレート６０がボウ本体１０と重なり合う部分をずらしている。また、ケーブル３０、４０を省略している。
図１に示すように、弓１は、ボウ本体１０と、ボウ本体１０の上端と下端それぞれに設けられたリール２０Ａ、２０Ｂと、リール２０Ａと２０Ｂの間に架設されたケーブル３０、４０と、リール２０Ａと２０Ｂの間に架設されたストリング５０と、を備えている。ここで、本明細書では、ケーブル３０、４０を第１ケーブル、第２ケーブルともいう。
【００２１】
ボウ本体１０は、矢７０を支持するために、中央から後方に向かって突出する部分と、ストリング５０を架設するために、中央から上方と下方とに延在する部分と、を有する形状に形成されている。詳細には、ボウ本体１０は、中央から後方に向かって突出する突出部１１と、中央から後方斜め上に延在するボウ上部１２と、中央から後方斜め下に延在するボウ下部１３と、を有する。突出部１１、ボウ上部１２及びボウ下部１３には、軽量化をするため、それぞれ複数の切り欠き部１４が形成されている。
【００２２】
突出部１１には、図２に示すように、連結プレート６０が重ね合わされている。また、突出部１１には、連結プレート６０が接続するための長孔１６が形成されている。
【００２３】
連結プレート６０は、弓１の付属品、例えば、矢７０を支持するためのレスト６１、矢７０の発射時の振動、反動等を吸収するスタビライザー６２等を取り付けるために設けられている。また、連結プレート６０には、グリップ８０が固定されている。連結プレート６０とグリップ８０は、矢７０が発射される時の左右方向の衝撃を緩和するため、ボールジョイント８１、８２によって接続されている。さらに、連結プレート６０には、長孔１６に挿入される連結ピン６３が設けられている。
【００２４】
連結ピン６３の中心軸は、弓１を構えやすくするため、矢７０をレスト６１に載せてストリング５０につがえたときの矢７０の中心軸Ｃが通る位置に設けられている。また、ボウ本体１０のプレート面に垂直に設けられている。連結ピン６３は、その位置からプレート面に垂直に延在している。そして、連結ピン６３は、ベアリング６４に嵌め込まれている。さらに、ベアリング６４は、長孔１６に挿通されている。
【００２５】
長孔１６の中心は、弓１を構えやすくするため、ボウ本体１０の側面視の重心に設けられている。そして、長孔１６の短手方向の幅は、ベアリング６４を緩挿可能にするため、ベアリング６４の外径よりもやや大きい。また、長手方向は、ベアリング６４の外径よりも十分大きい。これにより、長孔１６は、ベアリング６４を摺動可能にして、矢７０の発射時の上下方向の衝撃や振動を緩和している。
【００２６】
また、長孔１６の長手方向は、ボウ本体１０の最上端にあるリール２０Ａと、最下端にあるリール２０Ｂと、を結ぶ直線Ｌに対して後方へ傾斜する方向に向けられている。その傾斜する角度θは、１０°前後である。これにより、長孔１６は、矢７０の発射時特定の方向への衝撃や振動を緩和している。
【００２７】
図１に戻って、ボウ上部１２とボウ下部１３の境界近傍には、滑車１５が設けられている。滑車１５の前方側には、ケーブル３０、４０が掛け回されている。これにより、ケーブル３０、４０が射手１００の障害物となることを防止している。
【００２８】
ボウ上部１２には、サイトピン９１を固定するためのサイト９２が取り付けられている。ここで、サイトピン９１は、射手１００が的を狙うときの照準点となるピンのことである。
【００２９】
また、ボウ上部１２は、中央から後方斜め上に延在した後、上に折れ曲がっている。同様に、ボウ下部１３も、中央から後方斜め下に延在した後、下に折れ曲がっている。ボウ上部１２とボウ下部１３の折れ曲がり部分には、ボウ本体１０の大きさを調整するため、調整プレート１２１、１３１が設けられている。また、ボウ上部１２の上端とボウ下部１３の下端には、リール２０Ａと２０Ｂを支持するための支持プレート１２５、１３５が設けられている。
【００３０】
調整プレート１２１、１３１は、矩形状に形成されている。そして、調整プレート１２１、１３１には、長手方向に延在する長孔１２２、１３２が形成されている。調整プレート１２１、１３１は、長孔１２２、１３２内の任意の位置にネジが挿通され、そのネジがボウ上部１２、ボウ下部１３に設けられたネジ孔に固定されることにより、その位置が調整される。調整プレート１２１の上端と調整プレート１３１の下端には、リール２０Ａの回動軸２５Ａとリール２０Ｂの回動軸２５Ｂが設けられている。
【００３１】
一方、支持プレート１２５、１３５は、矩形状に形成され、その長手方向の一端が回動軸２５Ａ、２５Ｂを保持している。そして、支持プレート１２５、１３５の他端は、回動軸２５Ａ、２５Ｂをボウ本体１０で支持するため、ボウ上部１２の上端とボウ下部１３の下端にネジで固定されている。
【００３２】
回動軸２５Ａ、２５Ｂは、リール２０Ａ、２０Ｂを回転可能に保持する。上述したように、リール２０Ａ、２０Ｂには、ケーブル３０、４０とストリング５０が架設されている。回動軸２５Ａ、２５Ｂは、調整プレート１２１、１３１と支持プレート１２５、１３５によって支持されることで、ケーブル３０、４０とストリング５０に引っ張られてもひずみにくい。また、その位置がずれにくい。次に、図３−図５を参照して、リール２０Ａ、２０Ｂ、ケーブル３０、４０及びストリング５０の構成について説明する。
【００３３】
図３は、本発明の実施の形態に係る弓１が備えるリール２０Ｂの斜視図である。図４（Ａ）は、リール２０Ｂの正面図であり、図４（Ｂ）は、リール２０Ｂに備えられるストリング用カム２１Ｂの側面図である。図４（Ｃ）は、図４（Ａ）に示すＩＶＣ−ＩＶＣ切断線の断面図であり、図４（Ｄ）は、図４（Ａ）に示すＩＶＤ−ＩＶＤ切断線の断面図である。図５（Ａ）は、弓１に使用されるホビン３５Ａ、４５Ａ、３５Ｂ及び４５Ｂの断面図であり、図５（Ｂ）は、ケーブル３０、４０及びストリング５０が架設されたリール２０Ａ、２０Ｂの概念図である。図５（Ｃ）は、図５（Ｂ）に示すＶＣ−ＶＣ切断線の断面図であり、図５（Ｄ）は、図５（Ｂ）に示すＶＤ−ＶＤ切断線の断面図である。
なお、リール２０Ａと２０Ｂは、上下対称かつ左右対称である以外、その構成は同じである。このため、図３及び図４（Ａ）−（Ｄ）では、リール２０Ｂだけを示し、リール２０Ａの図示を省略している。また、図５（Ｂ）では、リール２０Ａ、２０Ｂを背面から視たときの図を示している。図５（Ｂ）−（Ｄ）では、理解を容易にするため、ケーブル３０、４０及びストリング５０を直線的に架設したものとしている。
【００３４】
図３及び図４（Ａ）に示すように、リール２０Ｂは、軸方向ＡＤの中央に設けられたストリング用カム２１Ｂと、ストリング用カム２１Ｂを挟んで配設された径小カム２２Ｂ及び径大カム２３Ｂと、を備えている。ストリング用カム２１Ｂ、径小カム２２Ｂ及び径大カム２３Ｂは、径小カム２２Ｂ、ストリング用カム２１Ｂ、径大カム２３Ｂの順序で軸方向ＡＤに、かつ同軸に配設されて一体化されている。そして、ストリング用カム２１Ｂ、径小カム２２Ｂ及び径大カム２３Ｂには、回動軸２５Ｂを挿通させるため、これらと同軸の貫通孔２４が形成されている。なお、上述したように、リール２０Ａと２０Ｂは、上下対称かつ左右対称である以外、その構成は同じである。このため、以下の説明では、リール２０Ｂの構成を説明し、リール２０Ａの構成の説明を省略する。また、本明細書では、ストリング用カム２１Ａと２１Ｂ、径小カム２２Ａと２２Ｂ及び径大カム２３Ａと２３Ｂを、第１ストリング用カムと第２ストリング用カム、第１径小カムと第２径小カム、及び第１径大カムと第２径大カムともいう。
【００３５】
ストリング用カム２１Ｂは、ストリング５０の端部が固定され、ストリング５０が引っ張られることで、回動するカムである。ストリング用カム２１Ｂは、図４（Ｂ）に示すように、扁平な円に突出部２１１が形成された板状、すなわち、非円形板状に形成されている。そして、ストリング用カム２１Ｂには、軽量化のため、複数の切り欠き部２１２が形成されている。
【００３６】
ストリング用カム２１Ｂの外周部には、図４（Ａ）及び図４（Ｂ）に示すように、ストリング５０を巻き付けるための溝２１３が形成されている。一方、ストリング用カム２１Ｂの側面には、図４（Ｂ）に示すように、ストリング用カム２１Ｂを貫通し、溝２１３を横断するピン挿入孔２１４が形成されている。図示しないが、ピン挿入孔２１４にはピンが挿入される。ストリング用カム２１Ｂでは、ピン挿入孔２１４にピンが挿入され、そのピンに溝２１３内でストリング５０の端部が固定される。そして、ストリング５０が溝２１３に沿って巻き付けられる。
【００３７】
ストリング用カム２１Ｂは、上述したように、非円形板状である。詳細には、ストリング用カム２１Ｂは、半径Ｒ１を有する径小部と、半径Ｒ１よりも大きい半径Ｒ２を有する径大部と、が周方向につながった形状である。すなわち、半径が周方向に異なり、周方向に異なる曲率の曲面を有する形状である。これにより、ストリング用カム２１Ｂは、ストリング５０が射手１００によってひかれたときに回動し、テコの原理により、その回動した角度に応じた力でリール２０Ｂ全体を回転させる。換言すると、ストリング用カム２１Ｂは、射手１００がストリング５０によってリール２０Ｂを回転させる力を調整する。
【００３８】
これに対して、径小カム２２Ｂは、ケーブル３０が巻回され、ストリング用カム２１Ｂの回動と共に回動することにより、巻回されたケーブル３０をさらに巻き取る、又はケーブル３０をほどいて送り出すカムである。径小カム２２Ｂは、図４（Ａ）及び図４（Ｃ）に示すように、ケーブル３０を巻き付けるためのカム部２２１と、カム部２２１の両側に配置された２つの円板部２２２と、を有している。
【００３９】
カム部２２１は、図４（Ｃ）に示すように、筒状に形成されている。カム部２２１の内部は、図５（Ａ）に示す、ケーブル３０が巻き付けられた円筒状のホビン３５Ａを収容するための空洞が形成されている。この空洞は、ホビン３５Ａを挿入するための開口している。図示しないが、カム部２２１の空洞では、ホビン３５Ａに回動軸２５Ｂが挿通される。これにより、ホビン３５Ａは回動軸２５Ｂに固定されて、カム部２２１に取り付けられる。
【００４０】
また、カム部２２１は、図４（Ｃ）に示すように、断面視で扁平な円の形状、すなわち、非円形状に形成されている。詳細には、カム部２２１は、断面視で、半径Ｒ３を有する径小部と、半径Ｒ３よりも大きい半径Ｒ４を有する径大部と、が周方向につながった形状に形成されている。換言すると、カム部２２１は、ストリング用カム２１Ｂと同様に、半径が周方向に異なり、周方向に異なる曲率の曲面を有する形状に形成されている。カム部２２１には、図示しないが、ホビン３５Ａから延びるケーブル３０が巻き付けられる。カム部２２１には、径小部と径大部があるため、カム部２２１は、ストリング用カム２１Ｂの回動によって回動すると、その回動した角度によって、ケーブル３０の巻き取り量又は送り出し量が変化する。これにより、後述するケーブル３０が引っ張られる量又は緩められる量が調整されている。
【００４１】
円板部２２２は、カム部２２１の最外径よりも外径が大きい円板に形成されている。これにより、ケーブル３０がカム部２２１から外れることを防止している。
【００４２】
一方、径大カム２３Ｂは、ケーブル３０とは別のケーブル４０が巻回されるカムである。径大カム２３Ｂは、ストリング用カム２１Ｂの回動と共に回動することにより、巻回されたケーブル４０をさらに巻き取る、又はケーブル４０をほどいて送り出す。径大カム２３Ｂは、図４（Ａ）及び図４（Ｄ）に示すように、径小カム２２Ｂのよりも径が大きい。詳細には、径大カム２３Ｂは、径小カム２２Ｂのカム部２２１よりも径が大きいカム部２３１と、カム部２３１よりも径が大きく、かつ径小カム２２Ｂの円板部２２２よりも径が大きい円板部２３２と、を有する。
【００４３】
カム部２３１は、径小カム２２Ｂのカム部２２１よりも径が大きいこと、半径Ｒ５を有する径小部と、半径Ｒ５よりも大きい半径Ｒ６を有する径大部と、が設けられた位置が異なること以外、カム部２２１と同様である。このため、その説明を省略する。また、円板部２３２は、径小カム２２Ｂの円板部２２２よりも径が大きいこと以外、その構成は同じである。このため、その説明を省略する。
【００４４】
図１に戻って、ボウ本体１０の上端には、上述したリール２０Ｂと上下対称かつ左右対称に形成されたリール２０Ａが設けられている。そして、リール２０Ａとリール２０Ｂの間には、ストリング５０と、ケーブル３０、４０が架設されている。
【００４５】
ストリング５０は、矢７０をつがえる、すなわち、矢７０をノッキングするための部材である。ストリング５０は、耐久性のあるポリアミド、ポリエチレン等の糸で形成されている。ストリング５０の上端は、図１に示すように、ボウ本体１０の上端のストリング用カム２１Ａに固定されている。そして、ストリング５０の下端は、ボウ本体１０の下端のストリング用カム２１Ｂに固定されている。これにより、ストリング５０は、射手１００に引っ張られたときに、ストリング用カム２１Ａ、２１Ｂを回動させる。
【００４６】
一方、ケーブル３０、４０は、弾性変形したときの弾性力でリール２０Ａ、２０Ｂを回動させて、ストリング５０にノッキングされた矢７０を飛ばす部材である。ケーブル３０、４０は、引張強度を高くするため、ポリアリレート繊維、アラミド繊維又は、ポリパラフェニレンベンゾビスオキサゾール繊維等の糸で形成されている。ケーブル３０、４０では、弾性変形したときに高い弾性エネルギーを有することが望ましいため、１本の糸を輪状に複数回巻き取り、その糸を束ねられることで形成されている。
【００４７】
詳細には、ケーブル３０、４０の上端と下端には、図５（Ａ）に示すように、輪３１、４１が設けられている。そして、上端側の輪３１、４１は、ホビン３５Ａ、４５Ａに通されている。ケーブル３０は、その輪３１、４１が掛けられたホビン３５Ａ、４５Ａから、ホビン３５Ｂ、４５Ｂに掛け回されたうえで、再度ホビン３５Ａ、４５Ａに掛け回されている。このケーブル３０、４０の掛け回しは、複数回、例えば５−１０回行われている。そして、下端側の輪３１、４１がホビン３５Ｂ、４５Ｂに通されている。図示しないが、ケーブル３０、４０は、ホビン３５Ａ、４５Ａとホビン３５Ｂ、４５Ｂの近傍の位置Ｓ、Ｔで束ねられる。これにより、ケーブル３０、４０は、束ねられた複数の糸で形成されている。
【００４８】
さらに、ケーブル３０、４０は、上述したホビン３５Ａ及び４５Ａとホビン３５Ｂ及び４５Ｂが、径小カム２２Ａ及び径大カム２３Ａと径大カム２３Ｂ及び径小カム２２Ｂに取り付けることで、リール２０Ａ、２０Ｂに架設されている。
【００４９】
詳細には、ケーブル３０は、図５（Ｃ）に示すように、上端側のホビン３５Ａが径小カム２２Ａのカム部２２１に形成された空洞に収容されることで、径小カム２２Ａに取り付けられている。そして、ケーブル３０は、上端側のホビン３５Ａから径小カム２２Ａのカム部２２１に巻き付けられた後、滑車１５に掛け回されている。さらに、滑車１５に掛け回された後、径大カム２３Ｂのカム部２３１に巻き付けられている。ここで、カム部２２１への巻き付け方向は、後述するストリング５０が後方へ引っ張られたときのリール２０Ａの回動方向となる方向ＲＡである。また、カム部２３１への巻き付け方向は、その方向ＲＡと反対の方向ＲＢである。その後、下端側のホビン３５Ｂが径大カム２３Ｂのカム部２３１に形成された空洞に収容されることにより、径大カム２３Ｂに取り付けられている。これにより、ケーブル３０は、リール２０Ａと２０Ｂとの間に架設されている。ケーブル３０は、径の大きさに差があるカム部２２１と２３１に巻き付けられているため、ケーブル３０は、ストリング用カム２１Ａと２１Ｂの回動によって径小カム２２Ａと径大カム２３Ｂが同じ角度だけ回動すると、引っ張られるか、又は緩められる。
【００５０】
これに対して、ケーブル４０は、図５（Ｄ）に示すように、上端側のホビン４５Ａが径大カム２３Ａのカム部２３１にある空洞に収容されること、下端側のホビン４５Ｂが径小カム２２Ｂのカム部２２１にある空洞に収容されること、及びカム部２３１とカム部２２１への巻き付け方向が、ケーブル３０のカム部２２１とカム部２３１への巻き付け方向と反対であること、を除いて、ケーブル３０と同様にして、リール２０Ａとリール２０Ｂとの間に架設されている。ケーブル４０も、ケーブル３０と同様に、径の大きさに差があるカム部２３１と２２１に巻き付けられているため、ケーブル４０は、ストリング用カム２１Ａと２１Ｂの回動によって径大カム２３Ａと径小カム２２Ｂが同じ角度だけ回動すると、引っ張られるか、又は緩められる。
【００５１】
このように、ケーブル３０、４０は、ストリング用カム２１Ａ、２１Ｂの回動によって引っ張られるか、又は緩められる。そして、弓１では、ケーブル３０、４０が引っ張られて弾性変形したときの弾性力を利用して、矢７０を発射する。
【００５２】
次に、図１、図２、図５及び図６を参照して、その弓１の動作について説明する。以下の説明では、弓１のグリップ８０を射手１００が把持して、矢７０をストリング５０の矢７０をつがえる箇所、すなわちノッキングポイントに、ノッキングしていることを前提とする。
【００５３】
図６は、本発明の実施の形態に係る弓１のドローレングスとドローウエイトとの関係を示す図である。図７は、本発明の実施の形態に係る弓がフルドローされたときの、弓１の連結プレート６０の拡大側面図である。ここで、ドローレングスとは、ノッキングポイントにノッキングされた矢７０を射手１００が引いた、すなわちドローした距離のことである。ドローウエイトとは、そのドローに必要な力の大きさを重量で表したときのその重量のことである。なお、図６では、従来のコンパウンドボウの、ドローレングスとドローウエイトとの関係を示すグラフも図示している。弓１では、矢７０をリリースするまでの間に、射手１００が弓１に加える運動エネルギーが、ケーブル３０、４０の弾性エネルギーとして蓄えられる。図６では、矢７０をリリースするまでに射手１００が従来のコンパウンドボウに加える弾性エネルギーが、実施の形態に係る弓１に加えられる弾性エネルギーと同じであると仮定した場合の、従来のコンパウンドボウの、ドローレングスとドローウエイトとの関係を示すグラフを図示している。
【００５４】
まず、射手１００は、図１に示すように、ノッキングされた矢７０をドローする。矢７０がドローされると、ストリング５０が後方へ引っ張られる。これにより、リール２０Ａが、図１に示す方向ＲＡに回動する。さらに、リール２０Ｂが、方向ＲＡとは逆の方向ＲＢに向かって回動する。
【００５５】
このとき、リール２０Ａでは、ストリング用カム２１Ａが方向ＲＡへ回動する。そして、図５（Ｂ）及び図５（Ｃ）に示すように、径小カム２２Ａも、ストリング用カム２１Ａと一体であるため、方向ＲＡへ回動する。径小カム２２Ａには、ケーブル３０が方向ＲＡへ巻き付けられている。このため、ケーブル３０は、径小カム２２Ａから、ほどかれて送り出される。
【００５６】
これに対して、リール２０Ｂでは、図５（Ｂ）に示すように、ストリング用カム２１Ｂが方向ＲＢへ回動する。そして、径大カム２３Ｂも、ストリング用カム２１Ｂと一体であるため、方向ＲＢへ回動する。径大カム２３Ｂでは、図５（Ｃ）示すように、ケーブル３０が方向ＲＢと反対側に向かって巻き付けられている。このため、ケーブル３０は、径大カム２３Ｂに巻き取られる。
【００５７】
このように、ケーブル３０は、径小カム２２Ａから送り出され、径大カム２３Ｂに巻き取られる。径大カム２３Ｂは径小カム２２Ａよりも径が大きいため、径大カム２３Ｂがケーブル３０を巻き取る量は、径小カム２２Ａがケーブル３０を送り出す量よりも多い。このため、ケーブル３０は、径大カム２３Ｂによって引っ張られる。その結果、ケーブル３０が弾性変形する。
【００５８】
また、リール２０Ａでは、ストリング用カム２１Ａが方向ＲＡへ回動するとき、図５（Ｄ）に示すように、ストリング用カム２１Ａと一体であるため、径大カム２３Ａも、方向ＲＡへ回動する。径大カム２３Ａでは、ケーブル４０が方向ＲＡと反対側に向かって巻き付けられている。このため、ケーブル４０は、径大カム２３Ａに巻き取られる。
【００５９】
これに対して、リール２０Ｂでは、ストリング用カム２１Ｂと共に、一体に形成された径小カム２２Ｂも方向ＲＢへ回動する。径小カム２２Ｂでは、ケーブル４０が方向ＲＢへ巻き付けられている。このため、ケーブル４０は、径小カム２２Ｂから、ほどかれて送り出される。
【００６０】
このように、ケーブル４０は、径大カム２３Ａで巻き取られ、径小カム２２Ｂから送り出される。径小カム２２Ａと径大カム２３Ｂの場合と同様に、径大カム２３Ａは径小カム２２Ｂよりも径が大きいため、径大カム２３Ａのケーブル４０の巻き取り量は、径小カム２２Ｂのケーブル４０の送り出し量よりも多い。このため、ケーブル４０は、径大カム２３Ａによって引っ張られる。その結果、ケーブル４０が弾性変形する。
【００６１】
続いて、射手１００がノッキングされた矢７０をさらにドローしていくと、ストリング用カム２１Ａとストリング用カム２１Ｂがさらに回動していく。このため、ケーブル３０と４０がさらに弾性変形する。このとき、カム部２２１と２３１が径小部と径大部とが周方向につながった形状に形成され、その径小部と径大部の位置が異なっているので、径小カム２２Ａと径大カム２３Ｂが回動したときの、ケーブル３０の回動角度あたりの弾性変形量は、径小カム２２Ａと径大カム２３Ｂが回動した角度に応じて変化する。そして、ケーブル３０を弾性変形させるのに必要な回動力も変化する。
【００６２】
また、ストリング用カム２１Ａと２１Ｂも、径小部と径大部とが周方向につながった形状に形成されている。このため、テコの原理によって、ストリング用カム２１Ａと２１Ｂが回動した角度に応じて径小カム２２Ａと径大カム２３Ｂを回動させる力も変化する。その結果、ケーブル３０を弾性変形させるために、射手１００がストリング５０を後方へ引っ張る距離（すなわち、ドローレングス）と、ストリング５０を後方へ引っ張る力（すなわちドローウエイト）との関係が変化する。このことは、ケーブル４０でも同様である。
【００６３】
弓１では、ストリング用カム２１Ａ、２１Ｂ、径小カム２２Ａ、２２Ｂ及び径大カム２３Ａ、２３Ｂの形状が、予め実験することによって、ドローレングスとドローウエイトが図６に示す関係となる形状に形成されている。詳細には、これらのカムの形状は、図６に示す、射手１００がストリング５０を後方へ引くドローレングスが一定値を超えると、ドローウエイトが最大値のピークウエイトＰのまま変化せず、かつ、さらにドローレングスが大きくなってフルドローＦの近傍まで達するとドローウエイトがピークウエイトＰから小さくなる形状に形成されている。このため、射手１００は、ピークウエイトＰに達してからフルドローＦの近傍になるまでの大部分で一定のウエイトでドローすることになる。その結果、弓１では、従来のコンパウンドボウのピークウエイトＰ０よりも小さいピークウエイトＰのまま、安定して矢７０をドローすることができる。また、フルドローＦの近傍でドローウエイトの減少が従来のコンパウンドボウよりも小さいため、射手１００は、ピークウエイトＰからターゲットを定めたまま、フルドローＦへ移行することになる。その結果、射手１００は、小さい負担のまま、矢７０をドローしていく。
【００６４】
続いて、射手１００は、矢７０をフルドローした後、その矢７０をリリースする。矢７０がリリースされると、ストリング５０が引っ張られた状態から解放された状態となり、ストリング用カム２１Ａ、２１Ｂも解放された状態となる。その結果、径小カム２２Ａ、２２Ｂ及び径大カム２３Ａ、２３Ｂも解放された状態となる。これにより、弾性変形したケーブル３０、４０が元の状態に戻り、その復元力で径小カム２２Ａ、２２Ｂ及び径大カム２３Ａ、２３Ｂが回動する。その結果、ストリング用カム２１Ａ、２１Ｂが回動して、ストリング５０は、後方に引っ張られた状態から元の状態へ戻り、矢７０が前方に押し出される。
【００６５】
ところで、フルドローＦでは、図７に示すように、連結プレート６０の、主にスタビライザー６２に起因する重力をＰ１、ボウ本体１０の重力をＰ２、射手１００が矢７０をフルドローしたときのドローウエイト（すなわち図６に示すフルドローＦのドローウエイト）の反力をＰ３、射手１００が加える、そのドローウエイトの力をＰ４、射手１００が弓１を支える力をＰ５としたとき、これらの力は以下の式（１）−（３）を満たしている。
Ｐ１＋Ｐ２＝Ｐ５・・・・・・・・・（式１）
Ｐ１×Ｘ＝Ｐ２×Ｙ＋Ｐ３×Ｚ・・・（式２）
Ｐ３＝Ｐ４・・・・・・・・・・・・（式３）
【００６６】
しかし、矢７０がリリースされると、ドローレングスが小さくなっていくため、図６から明らかなように、ドローウエイトの力Ｐ４が変化する。このドローウエイトの力Ｐ４の変化は、上記の式（２）に示すモーメントのバランスを崩す。ドローウエイトは、図６に示すように、従来のコンパウンドボウよりその変化は小さいものの、フルドローＦからピークウエイトＰへ一度大きくなる。その結果、モーメントのバランスが崩れることによって、連結プレート６０に、それ自体を下方向に移動させる衝撃が加わる。フルドローＦでは、連結ピン６３及びベアリング６４がボウ本体１０を支えるため、長孔１６の上端に位置している。連結ピン６３及びベアリング６４は、衝撃が加わると、長孔１６の長手方向の内壁に当接しながら下方向へ摺動することにより、その衝撃を吸収する。その後、ドローウエイトがピークウエイトＰから原点Ｏに向かって小さくなると、連結ピン６３及びベアリング６４は、長孔１６内を上方向へ摺動して、そのときの衝撃を吸収する。このように、連結ピン６３及びベアリング６４は、モーメントのバランスが崩れたときに、長孔１６に拘束されながら摺動することによりその衝撃や振動を吸収する。その結果、レスト６１に衝撃や振動が伝わりにくい。これにより、矢７０は、安定した状態で前方へ押し出される。
【００６７】
また、上述したように、ドローレングスの大部分でピークウエイトＰは、一定の力である。このため、リリース後、矢７０が完全に発射されるまでの間、射手１００の手元がぶれにくい。このため、矢７０は、ぶれることなく、前方に押し出される。その結果、矢７０の的への的中率が従来のコンパウンドボウより向上する。
【００６８】
以上のように、本発明の実施の形態に係る弓１では、径小カム２２Ａが、ストリング５０の一端が固定されたストリング用カム２１Ａと連動して回動する。また、径大カム２３Ｂが、ストリング５０の他端が固定されたストリング用カム２１Ｂと連動して回動する。そして、径小カム２２Ａと径大カム２３Ｂには、ケーブル３０が巻き付けられている。このため、弓１では、ストリング５０を引っ張ることで、ストリング用カム２１Ａと２１Ｂを回動させると共に、径小カム２２Ａと径大カム２３Ｂを回動させることができる。その結果、ケーブル３０を弾性変形させることができる。
【００６９】
また、径大カム２３Ａは、ストリング用カム２１Ａと連動して回動する。径小カム２２Ｂは、ストリング用カム２１Ｂと連動して回動する。そして、径大カム２３Ａと径小カム２２Ｂには、ケーブル４０が巻き付けられている。このため、径小カム２２Ａと径大カム２３Ｂと同様に、ストリング５０を引っ張ることで、径大カム２３Ａと径小カム２２Ｂを回動させることができる。その結果、ケーブル４０を弾性変形させることができる。弓１では、ストリング５０を引っ張ることで、ケーブル３０に加えてケーブル４０も弾性変形させることができる。このため、弓１では、ストリング５０を引っ張る力を高い効率でケーブル３０と４０の弾性変形に変換でき、ドローイングでの射手１００の負担が小さい。
【００７０】
径小カム２２Ａ、２２Ｂと径大カム２３Ａ、２３Ｂが、非円形のカム、すなわち、径小部と径大部が周方向に連続する形状のカムであるため、そのカムの径に応じた力で、ケーブル３０、４０を弾性変形することができる。その結果、ストリング５０を引っ張る力をケーブル３０、４０の弾性エネルギーに高い効率で変換できる。また、ストリング用カム２１Ａと２１Ｂも径小部と径大部が周方向に連続する形状のカムである。このため、カムの径に応じた変換率で、ストリング５０を引っ張る力を径小カム２２Ａ、２２Ｂと径大カム２３Ａ、２３Ｂの回動に変換することができる。その結果、ストリング５０を引っ張る力を高い効率で径小カム２２Ａ、２２Ｂと径大カム２３Ａ、２３Ｂの回動に変換することができる。これにより、弓１では、射手１００の負担をより小さくすることができる。
【００７１】
また、弓１では、１つのケーブルでなく、ケーブル３０と４０を弾性変形させる。また、ケーブル３０と４０は、ストリング５０と一体でない。このため、ストリング５０よりも弾性変形しやすいケーブル３０、４０を用いることができ、より効率を高めることができる。また、ストリング５０とは、別のケーブル３０、４０だけを交換すればよいため交換が容易である。その結果、弓１では、メンテナンス性が高い。
【００７２】
以上、本発明の実施の形態を説明したが、本発明は上記の実施の形態に限定されるものではない。上記実施の形態では、弓１がストリング５０を上下方向に向けて矢７０を発射させるものであるが、本発明はこれに限定されない。本発明では、ストリング５０を水平方向に向けて矢７０を発射してもよい。この場合、リール２０Ａが設けられた、ボウ本体１０の上端は、ボウ本体１０の一端、リール２０Ｂが設けられた、ボウ本体１０の下端は、ボウ本体１０の他端と称されてもよい。当然ながら、ストリング５０を上下方向に向ける弓１であっても、ボウ本体１０の上端を一端、ボウ本体１０の下端を他端と称してもよい。
【００７３】
上記の実施の形態では、ストリング用カム２１Ａ、径小カム２２Ａ及び径大カム２３Ａを備える部材をリール２０Ａ、ストリング用カム２１Ｂ、径小カム２２Ｂ及び径大カム２３Ｂを備える部材をリール２０Ｂと称している。しかし、リール２０Ａ、２０Ｂは、ストリング用カム２１Ａ、径小カム２２Ａ及び径大カム２３Ａを備えることから、単にカム部材と呼ばれてもよい。また、ケーブル３０、４０が巻き付けられることから、滑車と呼ばれてもよい。本発明では、ボウ本体１０の一端に、ストリング用カム２１Ａ、径小カム２２Ａ及び径大カム２３Ａが設けられ、ボウ本体１０の他端に、ストリング用カム２１Ｂ、径小カム２２Ｂ及び径大カム２３Ｂが設けられていればよい。
【００７４】
また、上記の実施の形態では、ストリング用カム２１Ａ、径小カム２２Ａ及び径大カム２３Ａが一体で形成され、ストリング用カム２１Ｂ、径小カム２２Ｂ及び径大カム２３Ｂが一体で形成されているが、これらのカムが一体であるか、別体であるかは任意である。本発明では、ストリング用カム２１Ａ、径小カム２２Ａ及び径大カム２３Ａが連動して回動すればよい。また、ストリング用カム２１Ｂ、径小カム２２Ｂ及び径大カム２３Ｂが連動して回動すればよい。
【００７５】
上記の実施の形態では、ケーブル３０と４０が、ホビン３５Ａ、３５Ｂと４５Ａ、４５Ｂに巻き付けられている。そして、ホビン３５Ａ、３５Ｂが径小カム２２Ａ、径大カム２３Ｂに取り付けられている。また、ホビン４５Ａ、４５Ｂが径大カム２３Ａ、径小カム２２Ｂに取り付けられている。しかし、ケーブル３０と４０の、径小カム２２Ａ、径大カム２３Ｂと、径大カム２３Ａ、径小カム２２Ｂとへの取り付け方法は、これらのカムに巻き付けられている限りにおいて、任意である。このため、ホビン３５Ａ、３５Ｂと４５Ａ、４５Ｂを利用しないで、ケーブル３０、４０が、直接これらのカムに巻き付けられもよい。この場合、ケーブル３０、４０が引っ張られて外れることを防止するため、ケーブル３０、４０の上端と下端は、これらのカムに固定されるとよい。
【００７６】
また、ケーブル３０、４０の本数、その材質も任意である。例えば、ケーブル３０、４０は、複数の糸で形成されてもよい。この場合、複数の糸が、実施の形態で説明したように、ホビン３５Ａ、３５Ｂ又は４５Ａ、４５Ｂに巻き付けられていてもよい。また、複数の糸は、異種材料の繊維が束ねられた糸であってもよい。複数の糸のうち、一部の糸がその他の糸と異なる材料の繊維で形成されていてもよい。
【００７７】
上記の実施の形態では、連結ピン６３がベアリング６４に嵌め込まれている。しかし、ベアリング６４の有無は任意である。本発明では、矢７０を発射するときの衝撃を緩和するため、連結ピン６３がベアリング６４に回転可能に保持されることが望ましい。これにより、ボウ本体１０が、連結プレート６０に設けられたグリップ８０に対して回転する衝撃を緩和することができる。この場合、ベアリング６４は、円滑に摺動するため、長孔１６の内壁に当接することが望ましい。
【００７８】
上記の実施の形態では、ベアリング６４が長孔１６に挿通されている。しかし、長孔１６の有無は任意である。本発明では、矢７０を発射するときの衝撃を緩和するため、ボウ本体１０が、連結ピン６３を挿通される長孔１６を有することが望ましい。この場合、長孔１６には、ベアリング６４が嵌められた連結ピン６３が挿通されることが望ましい。これにより、連結ピン６３又はベアリング６４を長孔１６の長手方向に摺動させて、矢７０の発射時の衝撃を緩和することができる。
【００７９】
また、ボウ本体１０が長孔１６を有する場合、長孔１６は、ボウ本体１０の重心を貫通することが望ましい。ここで、ボウ本体１０の重心とは、矢７０の発射方向とストリング５０の架設方向とに垂直な方向から視たときの重心、すなわち、実施の形態に係る弓１の側面視の重心のことである。これにより、弓１の重量バランスがとることができる。さらに、長孔１６の中心軸は、ストリング５０に矢７０がノッキングされたときの、その矢７０の中心軸Ｃ上に配置されていることが望ましい、そして、長孔１６の中心軸は、連結ピン６３又はベアリング６４の中心軸と同軸であることが望ましい。このような形態であれば、射手１００がドローウエイトでストリング５０を引いたときに力のバランスをとりやすい。
【００８０】
上記の実施の形態では、長孔１６が後方に１０°前後、傾斜しているが、この傾斜の角度θは任意である。ボウ本体１０が長孔１６を有する場合、上述したフルドローＦでのドローウエイトとピークウエイトＰとの関係から、長孔１６の具体的な角度θを定めればよい。例えば、矢７０を発射するときの上下方向の衝撃や振動を緩和するため、角度θは、０°であってもよい。すなわち、長孔１６の長手方向は、上下方向に延在していてもよい。
【００８１】
なお、上記の実施の形態では、後方に傾斜した長孔１６に連結ピン６３が挿通されて、発射時での矢７０の発射方向の変動を防止している。この長孔１６と連結ピン６３の構成は、弓１以外の形態にも適用できる。例えば、図６に示す従来の弓にも適用できる。また、発射時に反動のある物体を発射する発射装置、例えば、銃にも適用可能である。この場合、発射時の反動が、図６に示すドローレングスとドローウエイトとの関係から発射時にグリップ８０に加わる力と同様に変化する力である場合に適用するとよい。
【符号の説明】
【００８２】
１    弓
１０    ボウ本体
１１    突出部
１２    ボウ上部
１３    ボウ下部
１４    切り欠き部
１５    滑車
１６    長孔
２０Ａ、２０Ｂ  リール
２１Ａ、２１Ｂ  ストリング用カム
２２Ａ、２２Ｂ  径小カム
２３Ａ、２３Ｂ  径大カム
２４    貫通孔
２５Ａ、２５Ｂ  回動軸
３０、４０      ケーブル
３１、４１      輪
３５Ａ、３５Ｂ、４５Ａ、４５Ｂ  ホビン
５０    ストリング
６０    連結プレート
６１    レスト
６２    スタビライザー
６３    連結ピン
６４    ベアリング
７０    矢
８０    グリップ
８１、８２  ボールジョイント
９１    サイトピン
９２    サイト
１００    射手
１２１、１３１  調整プレート
１２２、１３２  長孔
１２５、１３５  支持プレート
２１１    突出部
２１２    切り欠き部
２１３    溝
２１４    ピン挿入孔
２２１    カム部
２２２    円板部
２３１    カム部
２３２    円板部
ＡＤ  軸方向
Ｃ    中心軸
Ｆ    フルドロー
Ｌ    直線
Ｏ    原点
Ｐ、Ｐ０  ピークウエイト
Ｒ１−Ｒ６  半径
ＲＡ、ＲＢ  方向
Ｓ、Ｔ      位置
θ    角度
【図１】
2020070934.tif 000003
【図２】
2020070934.tif 000004
【図３】
2020070934.tif 000005
【図４】
2020070934.tif 000006
【図５】
2020070934.tif 000007
【図６】
2020070934.tif 000008
【図７】
2020070934.tif 000009
【手続補正書】
【提出日】令和1年9月11日(2019.9.11)
【手続補正１】
【補正対象書類名】明細書
【補正対象項目名】００２５
【補正方法】変更
【補正の内容】
【００２５】
長孔１６の中心は、弓１を構えやすくするため、ボウ本体１０の側面視の重心に設けられている。そして、長孔１６の短手方向の幅は、ベアリング６４を緩挿可能にするため、ベアリング６４の外径よりもやや大きい。また、長手方向は、ベアリング６４の外径よりも十分大きい。これにより、長孔１６は、ベアリング６４を摺動可能にして、矢７０の発射時の、後述するドローウエイトの急激な変動を緩和している。
【手続補正２】
【補正対象書類名】明細書
【補正対象項目名】００２６
【補正方法】変更
【補正の内容】
【００２６】
なお、長孔１６の長手方向は、ボウ本体１０の最上端にあるリール２０Ａと、最下端にあるリール２０Ｂと、を結ぶ直線Ｌに対して後方へ傾斜する方向に向けられているが、その傾斜する角度θは、後述するように任意である。
【手続補正３】
【補正対象書類名】明細書
【補正対象項目名】００６６
【補正方法】変更
【補正の内容】
【００６６】
しかし、矢７０がリリースされると、ドローレングスが小さくなっていくため、図６から明らかなように、ドローウエイトの力Ｐ４が変化する。このドローウエイトの力Ｐ４の変化は、上記の式（２）に示すモーメントのバランスを崩す。ドローウエイトは、図６に示すように、従来のコンパウンドボウよりその変化は小さいものの、フルドローＦからピークウエイトＰへ一度大きくなる。このドローウエイトの急激な変化により、モーメントのバランスが崩れる。そして、連結プレート６０に、それ自体を下方向に移動させる力が加わる。フルドローＦでは、連結ピン６３及びベアリング６４がボウ本体１０を支えるため、長孔１６の上端に位置している。連結ピン６３及びベアリング６４は、ドローウエイトが急激に変化すると、長孔１６の長手方向の内壁に当接しながら下方向へ摺動することにより、その力を吸収する。その後、ドローウエイトがピークウエイトＰから原点Ｏに向かって小さくなると、連結ピン６３及びベアリング６４は、長孔１６内を上方向へ摺動して、そのドローウエイトの変化によりかかる力を吸収する。このように、連結ピン６３及びベアリング６４は、ドローウエイトが変化したときに、長孔１６に拘束されながら摺動することによりその変化によってかかる力を吸収する。その結果、矢７０は、安定した状態で前方へ押し出される。
【手続補正４】
【補正対象書類名】明細書
【補正対象項目名】００７７
【補正方法】変更
【補正の内容】
【００７７】
上記の実施の形態では、連結ピン６３がベアリング６４に嵌め込まれている。しかし、ベアリング６４の有無は任意である。本発明では、矢７０を発射するときのドローウエイトの急激な変動を緩和するため、連結ピン６３がベアリング６４に回転可能に保持されることが望ましい。これにより、ボウ本体１０が、連結プレート６０に設けられたグリップ８０に対して回転する力を緩和することができる。この場合、ベアリング６４は、円滑に摺動するため、長孔１６の内壁に当接することが望ましい。
【手続補正５】
【補正対象書類名】明細書
【補正対象項目名】００７８
【補正方法】変更
【補正の内容】
【００７８】
上記の実施の形態では、ベアリング６４が長孔１６に挿通されている。しかし、長孔１６の有無は任意である。本発明では、矢７０を発射するときの衝撃を緩和するため、ボウ本体１０が、連結ピン６３を挿通される長孔１６を有することが望ましい。この場合、長孔１６には、ベアリング６４が嵌められた連結ピン６３が挿通されることが望ましい。これにより、連結ピン６３又はベアリング６４を長孔１６の長手方向に摺動させて、矢７０の発射時のドローウエイトの急激な変動を緩和することができる。
【手続補正６】
【補正対象書類名】明細書
【補正対象項目名】００８０
【補正方法】変更
【補正の内容】
【００８０】
上記の実施の形態では、長孔１６が後方に１０°前後、傾斜しているが、この傾斜の角度θは任意である。すなわち、角度θは、０°以上３６０°未満の任意の角度である。ボウ本体１０が長孔１６を有する場合、上述したフルドローＦでのドローウエイトとピークウエイトＰとの関係から、長孔１６の具体的な角度θを定めればよい。例えば、角度θは、矢７０を発射するときのドローウエイトの急激な変化に対してベアリング６４が長手方向に摺動可能な角度であるとよい。
【手続補正書】
【提出日】令和1年11月21日(2019.11.21)
【手続補正１】
【補正対象書類名】明細書
【補正対象項目名】００１０
【補正方法】変更
【補正の内容】
【００１０】
本発明に係る弓は、
リムを備えないボウ本体と、
前記ボウ本体の一端に回動可能に設けられ、ストリングの一端が固定された第１ストリング用カムと、
前記第１ストリング用カムと連動して回動し、第１ケーブルの一端側が巻き付けられた第１径小カムと、
前記第１ストリング用カムと連動して回動し、第２ケーブルの一端側が巻き付けられた第１径大カムと、
前記ボウ本体の他端に回動可能に設けられ、前記ストリングの他端が固定された第２ストリング用カムと、
前記第２ストリング用カムと連動して回動し、前記第２ケーブルの他端側が巻き付けられた第２径小カムと、
前記第２ストリング用カムと連動して回動し、前記第１ケーブルの他端側が巻き付けられた第２径大カムと、
を備え、
前記第１ケーブルと前記第２ケーブルは、弾性変形可能であり、
前記第１ケーブルと前記第２ケーブルは、前記ストリングが引かれて前記第１ストリング用カムと前記第２ストリング用カムが回動した場合に、前記第１ストリング用カムと前記第２ストリング用カムに連動して前記第１径小カム、前記第２径大カム、前記第１径大カム及び前記第２径小カムが回動することにより、弾性変形し、その後前記ストリングが解放された場合に、弾性変形したときの弾性力で前記第１径小カム、前記第２径大カム、前記第１径大カム及び前記第２径小カムを回動させると共に、前記第１ストリング用カムと前記第２ストリング用カムを回動させ、前記ストリングにノッキングされた矢を発射することを特徴とする。
【手続補正２】
【補正対象書類名】明細書
【補正対象項目名】００１１
【補正方法】変更
【補正の内容】
【００１１】
前記ボウ本体は、
前記第１径小カム、前記第１径大カム、前記第２径小カム及び前記第２径大カムよりも前方に配置され、前記第１ケーブルと前記第２ケーブルが掛けられた滑車を備えてもよい。
また、前記弓は、
前記ボウ本体の一端に設けられ、前記第１ストリング用カム、前記第１径小カム及び前記第１径大カムを回動可能に支持する第１軸と、
前記ボウ本体の他端に設けられ、前記第２ストリング用カム、前記第２径小カム及び前記第２径大カムを回動可能に支持する第２軸と、
前記第１径小カムが有する第１空洞部に嵌められ、前記第１軸が挿通された第１ボビンと、
前記第２径大カムが有する第２空洞部に嵌められ、前記第２軸が挿通された第２ボビンと、
前記第１径大カムが有する第３空洞部に嵌められ、前記第１軸が挿通された第３ボビンと、
前記第２径小カムが有する第４空洞部に嵌められ、前記第２軸が挿通された第４ボビンと、
をさらに備え、
前記第１ケーブルは、前記第１ボビンと前記第２ボビンに複数回掛け回され、
前記第２ケーブルは、前記第３ボビンと前記第４ボビンに複数回掛け回されていてもよい。
【手続補正３】
【補正対象書類名】明細書
【補正対象項目名】００１２
【補正方法】変更
【補正の内容】
【００１２】
ボウ本体と、
前記ボウ本体の一端に回動可能に設けられ、ストリングの一端が固定された第１ストリング用カムと、
前記第１ストリング用カムと連動して回動し、第１ケーブルの一端側が巻き付けられた第１径小カムと、
前記第１ストリング用カムと連動して回動し、第２ケーブルの一端側が巻き付けられた第１径大カムと、
前記ボウ本体の他端に回動可能に設けられ、前記ストリングの他端が固定された第２ストリング用カムと、
前記第２ストリング用カムと連動して回動し、前記第２ケーブルの他端側が巻き付けられた第２径小カムと、
前記第２ストリング用カムと連動して回動し、前記第１ケーブルの他端側が巻き付けられた第２径大カムと、
連結ピンを有するグリップと、
を備え、
前記ボウ本体は、前記連結ピンを回転可能に保持するベアリングが挿通され、前記ボウ本体の重心を貫通する長孔を有してもよい。
【手続補正４】
【補正対象書類名】明細書
【補正対象項目名】００１７
【補正方法】変更
【補正の内容】
【００１７】
【図１】本発明の実施の形態に係る弓の側面図
【図２】本発明の実施の形態に係る弓の中央の拡大側面図
【図３】本発明の実施の形態に係る弓が備えるリールの斜視図
【図４】（Ａ）本発明の実施の形態に係る弓が備えるリールの正面図、（Ｂ）リールに備えられるストリング用カムの側面図、（Ｃ）（Ａ）に示すＩＶＣ−ＩＶＣ切断線の断面図、（Ｄ）（Ａ）に示すＩＶＤ−ＩＶＤ切断線の断面図
【図５】（Ａ）本発明の実施の形態に係る弓に使用されるボビンの断面図、（Ｂ）本発明の実施の形態に係る弓の第１ケーブル、第２ケーブル及びストリングが架設されたリールの概念図、（Ｃ）（Ｂ）に示すＶＣ−ＶＣ切断線の断面図、（Ｄ）（Ｂ）に示すＶＤ−ＶＤ切断線の断面図
【図６】本発明の実施の形態に係る弓のドローレングスとドローウエイトとの関係を示す図
【図７】本発明の実施の形態に係る弓がフルドローされたときの、弓の連結プレートの拡大側面図
【手続補正５】
【補正対象書類名】明細書
【補正対象項目名】００３３
【補正方法】変更
【補正の内容】
【００３３】
図３は、本発明の実施の形態に係る弓１が備えるリール２０Ｂの斜視図である。図４（Ａ）は、リール２０Ｂの正面図であり、図４（Ｂ）は、リール２０Ｂに備えられるストリング用カム２１Ｂの側面図である。図４（Ｃ）は、図４（Ａ）に示すＩＶＣ−ＩＶＣ切断線の断面図であり、図４（Ｄ）は、図４（Ａ）に示すＩＶＤ−ＩＶＤ切断線の断面図である。図５（Ａ）は、弓１に使用されるボビン３５Ａ、４５Ａ、３５Ｂ及び４５Ｂの断面図であり、図５（Ｂ）は、ケーブル３０、４０及びストリング５０が架設されたリール２０Ａ、２０Ｂの概念図である。図５（Ｃ）は、図５（Ｂ）に示すＶＣ−ＶＣ切断線の断面図であり、図５（Ｄ）は、図５（Ｂ）に示すＶＤ−ＶＤ切断線の断面図である。
なお、リール２０Ａと２０Ｂは、上下対称かつ左右対称である以外、その構成は同じである。このため、図３及び図４（Ａ）−（Ｄ）では、リール２０Ｂだけを示し、リール２０Ａの図示を省略している。また、図５（Ｂ）では、リール２０Ａ、２０Ｂを背面から視たときの図を示している。図５（Ｂ）−（Ｄ）では、理解を容易にするため、ケーブル３０、４０及びストリング５０を直線的に架設したものとしている。
【手続補正６】
【補正対象書類名】明細書
【補正対象項目名】００３９
【補正方法】変更
【補正の内容】
【００３９】
カム部２２１は、図４（Ｃ）に示すように、筒状に形成されている。カム部２２１の内部は、図５（Ａ）に示す、ケーブル３０が巻き付けられた円筒状のボビン３５Ａを収容するための空洞が形成されている。この空洞は、ボビン３５Ａを挿入するための開口している。図示しないが、カム部２２１の空洞では、ボビン３５Ａに回動軸２５Ｂが挿通される。これにより、ボビン３５Ａは回動軸２５Ｂに固定されて、カム部２２１に取り付けられる。
【手続補正７】
【補正対象書類名】明細書
【補正対象項目名】００４０
【補正方法】変更
【補正の内容】
【００４０】
また、カム部２２１は、図４（Ｃ）に示すように、断面視で扁平な円の形状、すなわち、非円形状に形成されている。詳細には、カム部２２１は、断面視で、半径Ｒ３を有する径小部と、半径Ｒ３よりも大きい半径Ｒ４を有する径大部と、が周方向につながった形状に形成されている。換言すると、カム部２２１は、ストリング用カム２１Ｂと同様に、半径が周方向に異なり、周方向に異なる曲率の曲面を有する形状に形成されている。カム部２２１には、図示しないが、ボビン３５Ａから延びるケーブル３０が巻き付けられる。カム部２２１には、径小部と径大部があるため、カム部２２１は、ストリング用カム２１Ｂの回動によって回動すると、その回動した角度によって、ケーブル３０の巻き取り量又は送り出し量が変化する。これにより、後述するケーブル３０が引っ張られる量又は緩められる量が調整されている。
【手続補正８】
【補正対象書類名】明細書
【補正対象項目名】００４７
【補正方法】変更
【補正の内容】
【００４７】
詳細には、ケーブル３０、４０の上端と下端には、図５（Ａ）に示すように、輪３１、４１が設けられている。そして、上端側の輪３１、４１は、ボビン３５Ａ、４５Ａに通されている。ケーブル３０は、その輪３１、４１が掛けられたボビン３５Ａ、４５Ａから、ボビン３５Ｂ、４５Ｂに掛け回されたうえで、再度ボビン３５Ａ、４５Ａに掛け回されている。このケーブル３０、４０の掛け回しは、複数回、例えば５−１０回行われている。そして、下端側の輪３１、４１がボビン３５Ｂ、４５Ｂに通されている。図示しないが、ケーブル３０、４０は、ボビン３５Ａ、４５Ａとボビン３５Ｂ、４５Ｂの近傍の位置Ｓ、Ｔで束ねられる。これにより、ケーブル３０、４０は、束ねられた複数の糸で形成されている。
【手続補正９】
【補正対象書類名】明細書
【補正対象項目名】００４８
【補正方法】変更
【補正の内容】
【００４８】
さらに、ケーブル３０、４０は、上述したボビン３５Ａ及び４５Ａとボビン３５Ｂ及び４５Ｂが、径小カム２２Ａ及び径大カム２３Ａと径大カム２３Ｂ及び径小カム２２Ｂに取り付けることで、リール２０Ａ、２０Ｂに架設されている。
【手続補正１０】
【補正対象書類名】明細書
【補正対象項目名】００４９
【補正方法】変更
【補正の内容】
【００４９】
詳細には、ケーブル３０は、図５（Ｃ）に示すように、上端側のボビン３５Ａが径小カム２２Ａのカム部２２１に形成された空洞に収容されることで、径小カム２２Ａに取り付けられている。そして、ケーブル３０は、上端側のボビン３５Ａから径小カム２２Ａのカム部２２１に巻き付けられた後、滑車１５に掛け回されている。さらに、滑車１５に掛け回された後、径大カム２３Ｂのカム部２３１に巻き付けられている。ここで、カム部２２１への巻き付け方向は、後述するストリング５０が後方へ引っ張られたときのリール２０Ａの回動方向となる方向ＲＡである。また、カム部２３１への巻き付け方向は、その方向ＲＡと反対の方向ＲＢである。その後、下端側のボビン３５Ｂが径大カム２３Ｂのカム部２３１に形成された空洞に収容されることにより、径大カム２３Ｂに取り付けられている。これにより、ケーブル３０は、リール２０Ａと２０Ｂとの間に架設されている。ケーブル３０は、径の大きさに差があるカム部２２１と２３１に巻き付けられているため、ケーブル３０は、ストリング用カム２１Ａと２１Ｂの回動によって径小カム２２Ａと径大カム２３Ｂが同じ角度だけ回動すると、引っ張られるか、又は緩められる。
【手続補正１１】
【補正対象書類名】明細書
【補正対象項目名】００５０
【補正方法】変更
【補正の内容】
【００５０】
これに対して、ケーブル４０は、図５（Ｄ）に示すように、上端側のボビン４５Ａが径大カム２３Ａのカム部２３１にある空洞に収容されること、下端側のボビン４５Ｂが径小カム２２Ｂのカム部２２１にある空洞に収容されること、及びカム部２３１とカム部２２１への巻き付け方向が、ケーブル３０のカム部２２１とカム部２３１への巻き付け方向と反対であること、を除いて、ケーブル３０と同様にして、リール２０Ａとリール２０Ｂとの間に架設されている。ケーブル４０も、ケーブル３０と同様に、径の大きさに差があるカム部２３１と２２１に巻き付けられているため、ケーブル４０は、ストリング用カム２１Ａと２１Ｂの回動によって径大カム２３Ａと径小カム２２Ｂが同じ角度だけ回動すると、引っ張られるか、又は緩められる。
【手続補正１２】
【補正対象書類名】明細書
【補正対象項目名】００７５
【補正方法】変更
【補正の内容】
【００７５】
上記の実施の形態では、ケーブル３０と４０が、ボビン３５Ａ、３５Ｂと４５Ａ、４５Ｂに巻き付けられている。そして、ボビン３５Ａ、３５Ｂが径小カム２２Ａ、径大カム２３Ｂに取り付けられている。また、ボビン４５Ａ、４５Ｂが径大カム２３Ａ、径小カム２２Ｂに取り付けられている。しかし、ケーブル３０と４０の、径小カム２２Ａ、径大カム２３Ｂと、径大カム２３Ａ、径小カム２２Ｂとへの取り付け方法は、これらのカムに巻き付けられている限りにおいて、任意である。このため、ボビン３５Ａ、３５Ｂと４５Ａ、４５Ｂを利用しないで、ケーブル３０、４０が、直接これらのカムに巻き付けられもよい。この場合、ケーブル３０、４０が引っ張られて外れることを防止するため、ケーブル３０、４０の上端と下端は、これらのカムに固定されるとよい。
【手続補正１３】
【補正対象書類名】明細書
【補正対象項目名】００７６
【補正方法】変更
【補正の内容】
【００７６】
また、ケーブル３０、４０の本数、その材質も任意である。例えば、ケーブル３０、４０は、複数の糸で形成されてもよい。この場合、複数の糸が、実施の形態で説明したように、ボビン３５Ａ、３５Ｂ又は４５Ａ、４５Ｂに巻き付けられていてもよい。また、複数の糸は、異種材料の繊維が束ねられた糸であってもよい。複数の糸のうち、一部の糸がその他の糸と異なる材料の繊維で形成されていてもよい。
【手続補正１４】
【補正対象書類名】明細書
【補正対象項目名】００８２
【補正方法】変更
【補正の内容】
【００８２】
１    弓
１０    ボウ本体
１１    突出部
１２    ボウ上部
１３    ボウ下部
１４    切り欠き部
１５    滑車
１６    長孔
２０Ａ、２０Ｂ  リール
２１Ａ、２１Ｂ  ストリング用カム
２２Ａ、２２Ｂ  径小カム
２３Ａ、２３Ｂ  径大カム
２４    貫通孔
２５Ａ、２５Ｂ  回動軸
３０、４０      ケーブル
３１、４１      輪
３５Ａ、３５Ｂ、４５Ａ、４５Ｂ  ボビン
５０    ストリング
６０    連結プレート
６１    レスト
６２    スタビライザー
６３    連結ピン
６４    ベアリング
７０    矢
８０    グリップ
８１、８２  ボールジョイント
９１    サイトピン
９２    サイト
１００    射手
１２１、１３１  調整プレート
１２２、１３２  長孔
１２５、１３５  支持プレート
２１１    突出部
２１２    切り欠き部
２１３    溝
２１４    ピン挿入孔
２２１    カム部
２２２    円板部
２３１    カム部
２３２    円板部
ＡＤ  軸方向
Ｃ    中心軸
Ｆ    フルドロー
Ｌ    直線
Ｏ    原点
Ｐ、Ｐ０  ピークウエイト
Ｒ１−Ｒ６  半径
ＲＡ、ＲＢ  方向
Ｓ、Ｔ      位置
θ    角度
【手続補正１５】
【補正対象書類名】特許請求の範囲
【補正対象項目名】全文
【補正方法】変更
【補正の内容】
【特許請求の範囲】
【請求項１】
リムを備えないボウ本体と、
前記ボウ本体の一端に回動可能に設けられ、ストリングの一端が固定された第１ストリング用カムと、
前記第１ストリング用カムと連動して回動し、第１ケーブルの一端側が巻き付けられた第１径小カムと、
前記第１ストリング用カムと連動して回動し、第２ケーブルの一端側が巻き付けられた第１径大カムと、
前記ボウ本体の他端に回動可能に設けられ、前記ストリングの他端が固定された第２ストリング用カムと、
前記第２ストリング用カムと連動して回動し、前記第２ケーブルの他端側が巻き付けられた第２径小カムと、
前記第２ストリング用カムと連動して回動し、前記第１ケーブルの他端側が巻き付けられた第２径大カムと、
を備え、
前記第１ケーブルと前記第２ケーブルは、弾性変形可能であり、
前記第１ケーブルと前記第２ケーブルは、前記ストリングが引かれて前記第１ストリング用カムと前記第２ストリング用カムが回動した場合に、前記第１ストリング用カムと前記第２ストリング用カムに連動して前記第１径小カム、前記第２径大カム、前記第１径大カム及び前記第２径小カムが回動することにより、弾性変形し、その後前記ストリングが解放された場合に、弾性変形したときの弾性力で前記第１径小カム、前記第２径大カム、前記第１径大カム及び前記第２径小カムを回動させると共に、前記第１ストリング用カムと前記第２ストリング用カムを回動させ、前記ストリングにノッキングされた矢を発射する弓。
【請求項２】
前記ボウ本体は、
前記第１径小カム、前記第１径大カム、前記第２径小カム及び前記第２径大カムよりも前方に配置され、前記第１ケーブルと前記第２ケーブルが掛けられた滑車を備える、
請求項１に記載の弓。
【請求項３】
前記ボウ本体の一端に設けられ、前記第１ストリング用カム、前記第１径小カム及び前記第１径大カムを回動可能に支持する第１軸と、
前記ボウ本体の他端に設けられ、前記第２ストリング用カム、前記第２径小カム及び前記第２径大カムを回動可能に支持する第２軸と、
前記第１径小カムが有する第１空洞部に嵌められ、前記第１軸が挿通された第１ボビンと、
前記第２径大カムが有する第２空洞部に嵌められ、前記第２軸が挿通された第２ボビンと、
前記第１径大カムが有する第３空洞部に嵌められ、前記第１軸が挿通された第３ボビンと、
前記第２径小カムが有する第４空洞部に嵌められ、前記第２軸が挿通された第４ボビンと、
をさらに備え、
前記第１ケーブルは、前記第１ボビンと前記第２ボビンに複数回掛け回され、
前記第２ケーブルは、前記第３ボビンと前記第４ボビンに複数回掛け回されている、
請求項１又は２に記載の弓。
【請求項４】
ボウ本体と、
前記ボウ本体の一端に回動可能に設けられ、ストリングの一端が固定された第１ストリング用カムと、
前記第１ストリング用カムと連動して回動し、第１ケーブルの一端側が巻き付けられた第１径小カムと、
前記第１ストリング用カムと連動して回動し、第２ケーブルの一端側が巻き付けられた第１径大カムと、
前記ボウ本体の他端に回動可能に設けられ、前記ストリングの他端が固定された第２ストリング用カムと、
前記第２ストリング用カムと連動して回動し、前記第２ケーブルの他端側が巻き付けられた第２径小カムと、
前記第２ストリング用カムと連動して回動し、前記第１ケーブルの他端側が巻き付けられた第２径大カムと、
連結ピンを有するグリップと、
を備え、
前記ボウ本体は、前記連結ピンを回転可能に保持するベアリングが挿通され、前記ボウ本体の重心を貫通する長孔を有する弓。
【請求項５】
前記連結ピンは、前記ストリングに矢がノッキングされたときの、前記矢の中心軸上に配置されている、
請求項４に記載の弓。